(57)【要約】【課題】巻取軸及び表示幕の着脱が容易な幕式表示装置を提供する。【解決手段】接合された軸連結部材３０１及び軸部材３０３、及びスライド可能に組み付けられた軸部材３０２によって構成された伸縮構造を有し、駆動軸３８及び従動軸３９によって支持され、モータ３１の駆動力によって回転駆動される下側巻取軸３４と、下側巻取軸３４と平行に配設され、回転駆動される上側巻取軸２４と、穿孔が設けられた巻取軸取付部を両端に有し、表示幕の一端の巻取軸取付部が、ネジ孔３０４に螺合する固定ネジ５によって下側巻取軸３４の表示幕取付部３２０に取り付けられ、他端が同様に上側巻取軸２４に取り付けられた幕式表示装置。【選択図】図５
2011138002.tif 000002
【特許請求の範囲】
【請求項１】
帯状の表示幕と、
該表示幕の一端が取着され、軸心周りに回転して前記表示幕を巻取り可能な巻取軸と、
前記巻取軸を回転可能に両端で軸支する一対の巻取軸支持部と、
前記巻取軸を回転駆動する駆動手段と
を備える幕式表示装置であって、
前記巻取軸は、前記一対の巻取軸支持部の間隔よりも長さ寸法が大きい伸張状態と、前記一対の巻取軸支持部の間隔よりも長さ寸法が小さい短縮状態との間で伸縮可能な伸縮構造を有し、
前記巻取軸は、前記短縮状態では、前記軸支持部の支持が解除され前記一対の巻取軸支持部から離脱可能となり、前記伸張状態で両端が前記一対の巻取軸支持部に取付られると、前記軸支持部によって支持されて前記駆動手段に駆動されて回転可能となる
ことを特徴とする幕式表示装置。
【請求項２】
前記巻取軸は、外径よりも細く形成された挿入部を一端に有する第一軸部材、及び該挿入部の一部または全部を挿入可能な受容部を一端に有する第二軸部材を備え、
前記伸縮構造は、前記挿入部が前記受容部に挿入され、前記第一軸部材と前記第二軸部材とが長手方向にスライド可能に連結されて構成されていることを特徴とする請求項１に記載の幕式表示装置。
【請求項３】
前記第一軸部材及び前記第二軸部材を串刺しにして前記巻取軸に沈頭状態で装着され、前記第一軸部材及び前記第二軸部材の長手方向のスライドを規制するスライド規制部材をさらに具備することを特徴とする請求項２に記載の幕式表示装置。
【請求項４】
前記表示幕の一端の略中央に設けられ、穿孔を有する巻取軸取付部と、
前記巻取軸の略中央に設けられ、前記穿孔に挿通して前記表示幕を軸支する表示幕取付部と
をさらに具備することを特徴とする請求項１乃至請求項３のいずれか一つに記載の幕式表示装置。
【請求項５】
前記表示幕の一端の略中央に設けられ、穿孔を有する巻取軸取付部と、
前記巻取軸の略中央に設けられ、前記穿孔に挿通して前記表示幕を軸支する表示幕取付部と
をさらに具備し、
前記表示幕取付部は、前記第一軸部材の前記挿入部に設けられていることを特徴とする請求項２または請求項３に記載の幕式表示装置。
【請求項６】
前記表示幕は、角部が斜めに切除された形状の面取り部を有し、
前記表示幕が前記巻取軸に巻き取られるにともなって、前記面取り部では、前記表示幕の前記巻取軸に当接する部分の幅が漸増することを特徴とする請求項４または請求項５に記載の幕式表示装置。
【請求項７】
前記第一軸部材は、平滑部を有し、
前記表示幕取付部は、該平滑部に設けられていることを特徴とする請求項５に記載の幕式表示装置。
【請求項８】
前記表示幕取付部の前記軸心から最も突出した部分までの径方向の寸法は、前記巻取軸の径方向の最大寸法よりも小さいことを特徴とする請求項７に記載の幕式表示装置。
【発明の詳細な説明】
【技術分野】
【０００１】
本発明は、複数の表示物が載せられた帯状の表示幕を巻き取り又は折り返しすることにより所定表示物を表示する幕式表示装置に関する。
【背景技術】
【０００２】
従来、複数の広告が印刷された表示幕を巻取軸に取着し、巻取軸をモータ等で回転させて表示幕を巻き取ることにより所定の広告を表示する幕式表示装置がある。（例えば、特許文献１を参照）。
【０００３】
この種の幕式表示装置においては、表示幕を新しいものと交換することで表示する広告を変更可能となっている。表示幕の交換には、一般的には表示幕のみを巻取軸から外して新しい表示幕を巻取軸に装着する。巻取軸に表示幕を取り付ける方法は種々のものがあるが、表示幕を巻き取る際に、回転させた巻取軸から表示幕が剥れたり、表示幕の取り付けられた位置や向きが不正確で所定の位置からずれたりすると広告を正しく表示することができなくなるため、表示幕の交換にあたっては巻取軸に対して表示幕が正しく位置決めされてしっかりと装着される必要がある。また、巻取軸が古くなったり汚れたりした場合には、表示幕だけでなく巻取軸もまた新しいものと交換して使用される。
【先行技術文献】
【特許文献】
【０００４】
【特許文献１】特開２００４−４７７６号公報
【発明の概要】
【発明が解決しようとする課題】
【０００５】
しかし、従来の幕式表示装置７０の背面図である図１１（ａ）、及び幕式表示装置７０に備えられた巻取軸装置７１の説明図である図１１（ｂ）に示すように、従来の幕式表示装置７０は、本体枠７４の中に巻取軸装置７１を備えており、巻取軸装置７１は、いずれも棒状の巻取軸７２が両端で支持部７３に取り付けられて構成されていた。巻取軸７２を表示装置本体から取り外すには、巻取軸装置７１及び本体枠７４を分解して巻取軸７２を長手方向にずらし、巻取軸７２を支持する駆動軸７８から巻取軸７２を抜く必要が必要があった。このため、巻取軸７２の交換には非常に手間がかかっていた。
【０００６】
また、特許文献１の技術では、表示幕は、巻取軸に取り付けられず、多数のローラによって展張されローラの回転に従って送られるが、図１１（ａ）（ｂ）に示すような、より簡素な構造を採用する幕式表示装置７０の巻取軸装置７１においては、表示幕７５は巻取軸７２に直接取り付けられて巻き取られていた。このような幕式表示装置７０の表示幕７５を交換する場合には、新たに取り付ける表示幕７５が巻取軸７２から外れにくくなるようにしっかりと取り付ける必要がある。しかし、一般に表示幕７５は大判であり、巻取軸７１に対して正確に位置決めしながらしっかり取り付けることは難しく、調整に手間と時間とを要していた。特許文献１の技術では、表示幕７５の巻取軸７２への取り付けには粘着テープ７６が使用されているが、表示幕７５の所定の貼付位置７７への貼り付けにあたって、一旦貼り付けた表示幕７５の位置がずれると、位置修正のために貼り直す必要が生じる。貼り直しの際には、剥がした粘着テープ７６の糊や破片が巻取軸７２に残りやすく、巻取軸７２の交換や清掃のための着脱が必要であった。
【０００７】
上記の実情を鑑み、本発明は、巻取軸を容易に交換可能な幕式表示装置を提供することを目的とする。
【課題を解決するための手段】
【０００８】
本発明の幕式表示装置は、「帯状の表示幕と、該表示幕の一端が取着され、軸心周りに回転して前記表示幕を巻取り可能な巻取軸と、前記巻取軸を回転可能に両端で軸支する一対の巻取軸支持部と、前記巻取軸を回転駆動する駆動手段とを備える幕式表示装置であって、前記巻取軸は、前記一対の巻取軸支持部の間隔よりも長さ寸法が大きい伸張状態と、前記一対の巻取軸支持部の間隔よりも長さ寸法が小さい短縮状態との間で伸縮可能な伸縮構造を有し、前記巻取軸は、前記短縮状態では、前記軸支持部の支持が解除され前記一対の巻取軸支持部から離脱可能となり、前記伸張状態で両端が前記一対の巻取軸支持部に取付られると、前記軸支持部によって支持されて前記駆動手段に駆動されて回転可能となる」ことを特徴とする。
【０００９】
ここで、駆動手段としては、特に構成が限定されるものではなく、電気モータや手動式の巻取り装置を例示することができる。
【００１０】
また、伸縮構造は、巻取軸の長さを変更可能な構造であればよく、特に構成が限定されるものではない。釣竿のように円筒状の部材を組み合わせた構造で、部材を長尺方向にスライドさせて伸縮可能なものや、机の脚の調整機構のように複数の部材が螺合した構造で、部材を相対的に回転させて伸縮可能なものを例として挙げることができる。これらの構造に加えて、ばねや係止具によって長さを調節可能な構造を備えていてもよい。
【００１１】
本発明によれば、巻取軸を伸縮させることが可能であり、一対の巻取軸支持部によって両端を支持されている巻取軸を、一対の巻取軸支持部の間隔よりも短縮させることによって巻取軸支持部から取り外すことができる。また、一対の巻取軸支持部の間で巻取軸の伸縮部を伸張し、巻取軸の両端を巻取軸支持部に取付けることで、巻取軸を巻取軸支持部に装着し、駆動手段によって回転駆動することができる。
【００１２】
また、本発明は、「前記巻取軸は、外径よりも細く形成された挿入部を一端に有する第一軸部材、及び該挿入部の一部または全部を挿入可能な受容部を一端に有する第二軸部材を備え、前記伸縮構造は、前記挿入部が前記受容部に挿入され、前記第一軸部材と前記第二軸部材とが長手方向にスライド可能に連結されて構成されている」ものとしてもよい。
【００１３】
本構成によれば、第一軸部材と第二軸部材とがスライド可能に連結されて伸縮構造が構成されており、スライドさせることによって巻取軸を容易に伸縮させることができる。
【００１４】
また、本発明は、「前記第一軸部材及び前記第二軸部材を串刺しにして前記巻取軸に沈頭状態で装着され、前記第一軸部材及び前記第二軸部材の長手方向のスライドを規制するスライド規制部材をさらに具備する」ものとすることができる。
【００１５】
ここで、「沈頭状態」とは、スライド規制部材の一部が巻取軸の外面よりも突出しない状態にあることを示す。このようなスライド規制部材としては、皿ネジ、イモネジ、沈頭リベット等を例として挙げることができる。
【００１６】
本構成によれば、スライド規制部材が第一軸部材と第二軸部材とをスライド不能に規制するので、幕式表示装置の使用中など、意図せぬときに巻取軸が短縮状態となって巻取軸が脱落する虞を防ぐ。
【００１７】
また、本発明は、「前記表示幕の一端の略中央に設けられ、穿孔を有する巻取軸取付部と、前記巻取軸の略中央に設けられ、前記穿孔に挿通して前記表示幕を軸支する表示幕取付部とをさらに具備する」ものとすることができる。
【００１８】
本構成によれば、巻取軸取付部を表示幕取付部で軸支するようにして表示幕を装着するため、表示幕取付部の軸を中心として回転移動させて表示幕の向きを調整可能である。表示幕を装着する際に、表示幕の向きを調整しながら巻取軸を回転させて表示幕を正しい向きで巻き取ることができる。従って、従来のように表示幕を巻取軸に貼り付ける場合と比較して、表示幕の向きの調整が容易である。
【００１９】
また、本発明は、「前記表示幕の一端の略中央に設けられ、穿孔を有する巻取軸取付部と、前記巻取軸の略中央に設けられ、前記穿孔に挿通して前記表示幕を軸支する表示幕取付部とをさらに具備し、前記表示幕取付部は、前記第一軸部材の前記挿入部に設けられている」ものとすることができる。
【００２０】
第一軸部材の挿入部は、第二軸部材に挿入されるように巻取軸の外寸よりも細く形成されている。本構成によれば、表示幕取付部はその挿入部に設けられており、表示幕取付部は、挿入部と巻取軸の外寸の径方向の寸法差の分だけ軸心寄りに装着され、突出しにくくなる。これにより、表示幕取付部が巻取りの際に邪魔になりにくく、表示幕をなめらかに巻き取ることができる。
【００２１】
また、本発明は、「前記表示幕が前記巻取軸に巻き取られるにともなって、前記面取り部では、前記表示幕の前記巻取軸に当接する部分の幅が漸増する」ものとすることができる。
【００２２】
表示幕が一端の略中央のみで巻取軸に取り付けられていると、表示幕を巻き取る際に、表示幕の角が反った状態で巻き込まれて折れ曲がってしまう虞があるのに対し、本構成によれば、表示幕は角部が斜めに切除され面取りされた形状であり、巻取りの当初の面取り部が巻取軸に巻き取られる際には角部が折れ曲がった状態で巻き込まれることがなく、スムーズに巻取ることができる。
【００２３】
また、本発明は、「前記第一軸部材は、平滑部を有し、前記表示幕取付部は、該平滑部に設けられている」ものとすることができる。
【００２４】
仮に、表示幕取付部が凹凸のある面や湾曲面に設けられていると、巻取軸取付部と表示幕取付部とをなめらかに滑らせにくいため、表示幕の向きの調整が難しくなる。これに対し、本構成によれば、表示幕掛部が平滑部に設けられているので、表示幕の取付部が平滑部に沿って滑らかに摺動可能になる。
【００２５】
また、本発明は、「前記表示幕取付部の前記軸心から最も突出した部分までの径方向の寸法は、前記巻取軸の径方向の最大寸法よりも小さい」ものとすることができる。
【００２６】
本構成によれば、表示幕取付部が巻取軸の円筒面より外側に突出することがないので、表示幕を巻いたときに表示幕取付部の所で凹凸を生じさせず、滑らかに巻き取ることができる。
【発明の効果】
【００２７】
以上のように、本発明の幕式表示装置によれば、巻取軸が伸縮構造を有しており、幕式表示装置の本体枠を分解せずとも巻取軸を伸縮させることで巻取軸の着脱が可能であることにより、巻取軸を容易に交換可能な幕式表示装置を提供することができる。
【図面の簡単な説明】
【００２８】
【図１】本発明の一実施形態である幕式表示装置を左斜め前から見た斜視図。
【図２】表示幕を取り除いた幕式表示装置の六面図。
【図３】表示幕を取り除いた幕式表示装置を右斜め後から見た斜視図。
【図４】図２のＡ−Ａ線における断面を示す拡大断面図。
【図５】巻取軸装置の構成を示す斜視図。
【図６】巻取軸の構成を示す説明図。
【図７】軸連結部材の構成を示す斜視図。
【図８】軸連結部材の三面図。
【図９】巻取軸の伸縮の様子を示す説明図。
【図１０】表示幕の取付方法を示す説明図。
【図１１】従来の幕式表示装置の巻取軸の構成を示す説明図。
【発明を実施するための形態】
【００２９】
以下、本発明の一実施形態である幕式表示装置１について、図１〜図１０に基き説明する。図１は、幕式表示装置を左斜め前から見た斜視図であり、図２は、表示幕を取り除いた幕式表示装置の六面図であり、図３は、表示幕を取り除いた幕式表示装置を右斜め後から見た斜視図であり、図４は、図２のＡ−Ａ線における断面を示した拡大断面図である。図５は、幕式表示装置の下側巻取軸装置の構成を示す斜視図であり、図６は、巻取軸の構成を示す説明図である。図７は、巻取軸の軸連結部材を示した斜視図であり、図８は、軸連結部材の三面図である。図９は、巻取軸の伸縮の様子を示す説明図であり、図１０は、巻取軸への表示幕の取付方法を示す説明図である。
【００３０】
図１及び図２に示すように、幕式表示装置１は、正面視において略長方形の額縁状を呈する本体枠２の開口部３を通して表示幕４０が視認可能に構成されている。表示幕４０は、幕式表示装置１の内部にて上側巻取軸２４と下側巻取軸３４との間に張り渡されて配設されている。幕式表示装置１は、背面側に光源ユニット（図示しない）が装着されて使用される。光源ユニットは、光源ユニットは、光源として蛍光灯やＬＥＤを備え、前方に向けて光を放射して表示幕４０を透過させ、表示幕４０に印刷された表示態様の視認性を高める。
【００３１】
図２〜図４に示すように、上側巻取軸２４は、正面視では本体枠２によって遮蔽される位置であって幕式表示装置１の上部に、軸心が左右方向に延びる向きで配設されている。下側巻取軸３４は、正面視では本体枠２によって遮蔽される位置であって幕式表示装置１の下部に、上側巻取軸２４と略平行に配設されている。上側巻取軸２４及び下側巻取軸３４に対して長尺帯状の表示幕４０の終端が夫々取り付けられ、表示幕４０に張りが生じるまで上側巻取軸２４及び／または下側巻取軸３４によって巻き取られ、上側巻取軸２４及び下側巻取駆動部３４の間で表示幕４０が上下に張り渡され展張される。こうして、上側巻取軸２４または下側巻取駆動部３４の一方が表示幕４０を巻取り、それに連動して他方が表示幕４０を繰り出して表示幕４０の展張を保ちながら表示を変更することが可能となる。
【００３２】
次に、図５に基き、下側巻取軸装置３０について説明する。下側巻取軸装置３０は、モータベース３２及び軸受ブラケット３３が、下側巻取軸３４を両端で支持して構成されている。下側巻取軸３４のモータベース３２側は、駆動軸３８（図９参照）が下側巻取軸３４の軸挿入穴（図示しない）に挿入され、軸受ブラケット３３側は、駆動軸３８と同軸上に配設された従動軸３９（図９参照）が下側巻取軸３４の軸挿入穴に挿入されており、駆動軸３８、下側巻取軸３４、及び従動軸３９は、一体的に回転可能となっている。モータベース３２にはモータ３１が搭載されており、モータ３１は、プーリ及びベルト等を用いて構成され、モータベース３２に組み込まれた駆動力伝達機構（図示しない）を介して、駆動軸３８を回転駆動し、駆動軸３８とともに、従動軸３９及び下側巻取軸３４を回転駆動する。ここで、下側巻取軸３４が、本発明の巻取軸に相当し、モータ３１及び駆動力伝達機構を組み合わせたものが、本発明の駆動手段に相当する。また、モータベース３２、軸受ブラケット３３、駆動軸３８、及び従動軸３９が、本発明の巻取軸支持部に相当する。
【００３３】
上側巻取軸装置２０は、下側巻取軸装置３０と略同形であり、本体枠２の上部に設けられている。図２の背面図に示すように、下側巻取軸装置３０が、背面から見て向かって左側にモータベース３２を備え、向かって右側に軸受ブラケット３３を備えているのに対し、上側巻取軸装置２０は、向かって右側にモータベース２２を備え、向かって左側に軸受ブラケット２３を備えている。下側巻取軸装置３０が下側巻取軸３４の上方にモータ３１が位置する向きであるのに対し、上側巻取軸装置２０は、上側巻取軸２４の下方にモータ２１が位置する向きに配設される。
【００３４】
図５及び図６に示すように、下側巻取軸３４は、軸連結部材３０１の端部が受容部３０７及び受容部３０８に夫々挿入され、軸連結部材３０１を略同軸で軸部材３０２及び軸部材３０３が挟んで構成されている。
【００３５】
図７及び図８に示すように、軸連結部材３０１は、円筒形の周面３１５の一部を平面的に切欠して平滑部３１１を設けた形状を呈する。平滑部３１１には３箇所のネジ孔３０４〜３０６が設けられている。周面３１５には、４箇所のカシメ孔３１２が、周面３１５を周方向に略均等間隔で四分割する位置に設けられている。後述するが、ネジ孔３０４は、固定ネジ５（図１０（ｂ）参照）とともに、表示幕取付部３２０を構成する。
【００３６】
軸連結部材３０１は、軸部材３０３の受容部３０８に挿入され、軸連結部材３０１と軸部材３０３とが位置決めされる。そして、カシメ孔３１２に対応する箇所で軸部材３０３は径方向に圧迫されてカシメ加工を施される。これにより、軸連結部材３０１と軸部材３０３とが所定の位置関係で連結され固定される。軸部材３０３の軸受ブラケット３３に取り付られる側の端面には、先述のように従動軸３９が挿入される軸挿入穴が設けられており、端部には、巻き取られた表示幕４０をガイドするフランジ３１０が周面に沿って設けられている。ここで、軸連結部材３０１及び軸部材３０３を組み合わせたものが、本発明の第一軸部材に相当する。
【００３７】
さらに、軸連結部材３０１は、軸部材３０２の受容部３０７に挿入され、ネジ孔３０５，３０６がネジ孔３１３，３１４に夫々対応するように２組のネジ孔が合致させられてイモネジ３１６，３１７が沈頭状態で取付られる。こうして、軸部材３０２及び軸連結部材３０１は、イモネジ３１６，３１７によって連結され固定される。なお、軸部材３０２も、軸部材３０３と同様に端面には軸挿入穴が設けられており、端部には周面に沿ってフランジ３０９が設けられている。ここで、軸連結部材３０１が、本発明の挿入部に相当し、軸部材３０２が、本発明の第二軸部材に相当し、イモネジ３１６，３１７が、本発明のスライド規制部材に相当する。
【００３８】
以下、図９に基き、下側巻取軸３４の伸縮機構について説明する。図９（ａ）に示すように、下側巻取軸３４は、軸部材３０３に駆動軸３８が挿入され軸部材３０２に従動軸３９が挿入されてモータベース３２と軸受ブラケット３３との間に取り付けられる。上記のように軸部材３０２及び軸部材３０３は、軸連結部材３０１を介して固定されており、取り付けられた下側巻取軸３４は、駆動軸３８の回転にともなって軸心まわりで回転駆動される。
【００３９】
下側巻取軸３４を本体枠２から取り外す場合には、まず、工具を用いてイモネジ３１６，３１７を取り外す。これにより、軸連結部材３０１と軸部材３０２との固定が解除され、軸連結部材３０１に対して軸部材３０２がスライド可能となる。図９（ｂ）に示すように、下側巻取軸３４を短縮させる方向に軸部材３０２をスライドさせると、下側巻取軸３４の全長は、駆動軸３８及び従動軸３９の間隔よりも小さい短縮状態となり、本体枠２から下側巻取軸３４を取り外すことが可能となる。
【００４０】
下側巻取軸３４を取り付ける場合には、駆動軸３８及び従動軸３９の間の所定の位置に短縮状態の下側巻取軸３４を進入させて軸部材３０３側の端部に駆動軸３８を挿入させる。そして、本体枠２から下側巻取軸３４を取り外す場合とは逆に、下側巻取軸３４を伸張する方向に軸部材３０２をスライドさせて伸張状態とし、軸部材３０２の端部に従動軸３９を挿入させる。そして、ネジ孔３０５，３０６がネジ孔３１３，３１４に夫々対応するように位置決めしてイモネジ３１６，３１７を取り付けて軸部材３０２と軸連結部材３０１とを接合する。これにより、軸部材３０２のスライドが規制され、下側巻取軸３４は短縮されなくなり、駆動軸３８及び従動軸３９によって支持された状態で、駆動軸３８の回転に従ってともに回転する。
【００４１】
次に、図１０に基き、表示幕４０の構成、及び下側巻取軸３４に対する表示幕４０の取り付け方法について説明する。表示幕４０は、帯状を呈し、広告等の表示が印刷されたプラスチック製のシートであり、角部には斜めに角が切欠され面取りされた形状の面取り部４０４，４０５が形成されている。また、端部４０２の略中央には、プラスチック製の小片である巻取軸取付部４０１が端部４０２よりも突出して接着されている。表示幕４０及び巻取軸取付部４０１は、いずれもプラスチック製であり柔軟で、巻き取る際などに容易にたわめることができる。巻取軸取付部４０１には、左右方向において中央に穿孔４０３が穿設されており、穿孔４０３にて表示幕４０を支持して表示幕４０を吊下げると、表示幕４０は左右方向において概ね吊り合った状態で下方へ垂れ下がる。
【００４２】
以下、表示幕４０を下側巻取軸３４に取り付ける方法について説明する。図１０（ｂ）に示すように、巻取軸取付部４０１を軸連結部材３０１の平滑部３１１に添えて、穿孔４０３をネジ孔３０４に合致させ、固定ネジ５を穿孔４０３に通してネジ孔３０４に螺合させる。これにより、表示幕４０は、固定ネジ５によって下側巻取軸３４に回転可能に接合され、固定ネジ５を支点として吊られた状態となる。これにより、固定ネジ５を中心に表示幕４０を回転させて向きを調節することができる。この状態において、図１０（ｃ）に示すように、巻取軸３４を回転させて表示幕４０を巻き取ると、巻取軸３４に当接する表示幕４０の幅は、面取り部４０４，４０５の形状に従い、図１０（ａ）に示すＷ１からＷ２へと漸増的に滑らかに大きくなる。Ｗ１は端部４０２の幅であり、Ｗ２は面取り部４０４，４０５以外の部分の表示幕４０の幅である。面取り部４０４，４０５が巻取軸３４に巻き取られた後は、図１０（ｄ）に示すように、面取り部４０４，４０５は外観に表れなくなり、表示幕４０は、Ｗ２の幅を有する帯状を呈する。ここで、固定ネジ５及びネジ孔３０４が、本発明の表示幕取付部に相当する。
【００４３】
以上のように、本発明の実施形態である幕式表示装置１によれば、幕式表示装置１に取り付けられた下側巻取軸３４の長さを、上記のような方法で駆動軸３８及び従動軸３９の間隔よりも短縮させた短縮状態とすることによって、巻取軸３４を幕式表示装置１の本体から取り外すことができる。また、モータベース３２及び軸受ブラケット３３の間に短縮状態の下側巻取軸３４を進入させ、下側巻取軸３４を伸張させて駆動軸３８及び従動軸３９に組みつけて幕式表示装置１に装着することができる。このようにして、幕式表示装置１を分解することなく下側巻取軸３４を幕式表示装置１に対して着脱自在とすることができる。
【００４４】
また、幕式表示装置１によれば、軸連結部材３０１と軸部材３０２とがスライド可能に連結されて伸縮構造が構成されており、軸連結部材３０１及び軸部材３０３に対して軸部材３０２をスライドさせることで巻取軸３４を容易に伸縮させることができる。
【００４５】
幕式表示装置１によれば、イモネジ３１６，３１７が取り付けられると、軸連結部材３０１及び軸部材３０３に対する軸部材３０２のスライドを規制するので、幕式表示装置１を広告表示に使用している最中など、意図せざるときに巻取軸３４が短縮されて駆動軸３８及び従動軸３９から脱落する事故を防ぐ。
【００４６】
また、イモネジ３１６，３１７は、沈頭状態で取り付けられ、周面３１５よりも外側に突出することがないので、表示幕４０の巻取りの際に邪魔になったり、表示幕４０にしわが寄ったりする虞がなく、なめらかに巻取りを行うことができる。
【００４７】
幕式表示装置１によれば、表示幕４０を固定ネジ５で軸支して装着するため、固定ネジ５の軸を中心として表示幕４０の向きを調節・変更可能である。表示幕４０の向きが正しくなるように調整しながら巻取軸３４を回転させて巻き取ることで、表示幕４０を正しい向きに合わせることができる。表示幕４０を固定ネジ５で吊下げて下に垂らしておき、下側巻取軸３４または上側巻取軸２４で巻き取りながら表示幕４０を正しい向きに揃えるようにすれば、作業者１人で表示幕４０を幕式表示装置１の本体に装着することも可能である。従って、従来のように表示幕４０を巻取軸３４に貼り付ける場合と比較して、表示幕４０の向きの調整が容易となる。また、表示幕４０の向きがずれた場合にも、巻き戻してやり直すことができる。従って、貼り直し等によって巻取軸３４を汚すことが無くなるので巻取軸３４の清掃や交換の頻度を大幅に低下させることができる。
【００４８】
さらに、幕式表示装置１によれば、表示幕４０は角部が斜めに切除された形状を呈する面取り部４０４，４０５を備えているので、角部が折れ曲がった状態で巻き込まれることがない。表示幕４０の端部４０２の全体が巻取軸３４に貼り付けられておらず、端部４０２の略中央に設けられた巻取軸取付部４０１において固定ネジ５に軸支されているだけであっても、巻取りの当初において角部が巻き込まれないため、角部が折れ曲がった状態で巻き込まれて表示幕４０が破損する虞を防ぐことができる。
【００４９】
また、幕式表示装置１によれば、軸連結部材３０１は、軸部材３０２及び軸部材３０３よりも細く形成されており、ネジ孔３０４（表示幕取付部３２０）が軸連結部材３０１に設けられているため、表示幕取付部３２０の固定ネジ５が下側巻取軸３４の周面３１５よりも外側に突出しない。これにより、表示幕４０を巻き取る際に、表面が凸凹になったり皺がよったりする虞を防いで滑らかに巻き取ることができる。
【００５０】
幕式表示装置１によれば、表示幕取付部３２０は平滑部３１１に設けられているので、取り付けられた巻取軸取付部４０１が平滑部３１１に沿ってなめらかに摺動可能になる。これにより、表示幕４０を下側巻取軸３４に取り付けて巻き取る際に向きの調整を容易に行うことができる。
【００５１】
なお、本発明の実施形態は上記の構成に限定されるものではなく、以下に示すように種々に変更することができる。
【００５２】
すなわち、上記の幕式表示装置１においては、表示幕４０を上側巻取軸２４及び下側巻取軸３４に装着するものを示したが、本発明の幕式表示装置は、巻取軸を複数備えるものに限らず、巻取軸を１本のみ具備するものであってもよい。
【００５３】
また、上記の幕式表示装置１においては、表示幕４０が上側巻取軸２４及び下側巻取軸３４に対して着脱可能であるものを示したが、これに限定されるものではなく、表示幕が巻取軸に対して接着されているものであってもよい。また、その他の取着方法で表示幕が巻取軸に対して取着されているものであってもよい。表示幕が巻取軸に対して予め取着されていると、巻取軸の位置決めの手間を省くことができる。
【００５４】
また、上記の幕式表示装置１においては、上側巻取軸装置２０及び下側巻取軸装置３０の夫々にモータを備えて巻取軸を回転駆動するものを示したが、ベルト等によって複数の巻取軸を連動させ、１基のモータの動力によって複数の巻取軸を駆動するものであってもよい。これにより、構成をより簡素化することが可能である。
【００５５】
また、巻取軸及び表示幕４０の着脱は、本体枠２の後側から行うものに限定されるものではなく、本体枠２の前方から着脱可能としてもよい。これにより、本体枠２を開閉または着脱して後側から作業する必要が無くなり、巻取軸及び表示幕４０をより簡単に交換することができる。
【００５６】
また、上記の幕式表示装置１においては、上側巻取軸２４及び下側巻取軸３４は平行に配設されており、表示幕４０が巻き取られると表示幕４０に印刷された表示が上下方向に動く構成を示したが、２本の巻取軸が左右に並んで平行に配設され、表示が左右方向に動く構成としてもよい。また、建物の壁面広告スペースに設置したり、スタンド等に取り付けて設置したりするだけでなく、バスや電車等の車両に装備して使用してもよい。
【００５７】
上記の幕式表示装置１においては、表示幕取付部（ネジ孔３０４）が軸連結部材３０１に設けられているものを示したが、これに限定されるものではなく、表示幕取付部は軸部材３０２に設けられていてもよい。また、軸連結部材３０１と軸部材３０３とが組み合わせられるものを示したが、軸連結部材３０１と軸部材３０３とが着脱可能に連結されるものであってもよいし、１個の部材として一体に成形されていてもよい。
【００５８】
また、上記の幕式表示装置１においては、端部４０２に巻取軸取付部４０１が接着されているものを示したが、これに限定されるものではなく、巻取軸取付部４０１が一体的に成形された表示幕４０を用いてもよい。一体的に成形されていると、製造工程を簡素化できることに加え、強度を向上させることもできる。
【符号の説明】
【００５９】
１  幕式表示装置、５  固定ネジ（表示幕取付部）、３１  モータ（駆動手段）、３２  モータベース（巻取軸支持部）、３３  軸受ブラケット（巻取軸支持部）、３８  駆動軸（巻取軸支持部）、３９  従動軸（巻取軸支持部）、３４  下側巻取軸（巻取軸）、４０  表示幕、３０１  軸連結部材（第一軸部材）、３０２  軸部材（第二軸部材）、３０３  軸部材（第一軸部材）、３０４  ネジ孔（表示幕取付部）、３０７  受容部、３１１  平滑部、３１５  周面、３１６，３１７  イモネジ（スライド規制部材）、３２０  表示幕取付部、４０１  巻取軸取付部、４０３  穿孔、４０４，４０５  面取り部
【図１】
2011138002.tif 000003
【図２】
2011138002.tif 000004
【図３】
2011138002.tif 000005
【図４】
2011138002.tif 000006
【図５】
2011138002.tif 000007
【図６】
2011138002.tif 000008
【図７】
2011138002.tif 000009
【図８】
2011138002.tif 000010
【図９】
2011138002.tif 000011
【図１０】
2011138002.tif 000012
【図１１】
2011138002.tif 000013